(57)【要約】      （修正有）【課題】環境にやさしい態様で綴じられたカレンダーを得る。【解決手段】複数枚の紙が綴じられたカレンダー１であって、複数枚の紙の綴じ代に貫通して形成された、略Ｕ字形状の第１切込み線３ａと、前記第１切込み線と一定の間隔を隔てている上下逆転した略Ｕ字形状の第２切込み線４ａを有し、第１切込み線に囲まれた紙片および第２切込み線に囲まれた紙片のそれぞれが裏面側に折込まれることによって１対のかみ合わせ部７とされ、前記１対のかみ合わせ部７が横方向に複数対設けられるとともに、複数枚の紙の綴じ代のかみ合わせ部以外の箇所に貫通した吊り下げ用貫通穴１０が形成されていることを特徴とするカレンダー。【選択図】図１
0003114405.tif 000002
【実用新案登録請求の範囲】
【請求項１】
複数枚の紙が綴じられたカレンダーであって、
複数枚の紙の綴じ代に貫通して形成された、略Ｕ字形状の第１切込み線と、前記第１切込み線と一定の間隔を隔てている上下逆転した略Ｕ字形状の第２切込み線を有し、
第１切込み線に囲まれた紙片および第２切込み線に囲まれた紙片のそれぞれが裏面側に折込まれることによって１対のかみ合わせ部とされ、
前記１対のかみ合わせ部が横方向に複数対設けられるとともに、複数枚の紙の綴じ代のかみ合わせ部以外の箇所に貫通した吊り下げ用貫通孔が形成されていることを特徴とするカレンダー。
【請求項２】
複数枚の紙が綴じられたカレンダーであって、
複数枚の紙の綴じ代に貫通して形成された略Ｈ字形状の切込み線に囲まれた紙片が裏面側に折込まれることによって１対のかみ合わせ部とされ、
前記１対のかみ合わせ部が横方向に複数対設けられるとともに、複数枚の紙の綴じ代のかみ合わせ部以外の箇所に貫通した吊り下げ用貫通孔が形成されていることを特徴とするカレンダー。
【請求項３】
複数の紙を綴じる、かみ合わせ綴じ装置であって、
外形が略偏平直方体であって、互いに偏平面を略平行にして配列された複数の切込みブレードと、前記切込みブレードの配列を固定するブレード固定具とからなるブレード座と、
前記切込みブレードが挿通する貫通穴を有するスライドプレートと、
前記ブレード座を上下方向に移動させるブレード座上下機構と、
前記切込みブレードに対応する位置に、前記切込みブレードの水平断面と略等しい切込み受穴を有する受けプレートから構成され、
前記切込みブレードの下端部分はかまぼこ形状に切り取られていて、両端先端部が下端に位置し、
前記ブレード座の最下降位置において、
前記切込みブレードの両端先端部が前記受けプレートの上面と略同一面上にあり、
前記スライドプレートと前記受けプレートとの間に前記複数枚の紙を位置付け、前記ブレード座上下機構によりブレード座を最下降位置に移動して、前記紙を部分切断するとともにかみ合わせ部を形成する、かみ合わせ綴じ装置。
【請求項４】
複数の紙を綴じる、かみ合わせ綴じ装置であって、
外形が略偏平直方体であって、互いに偏平面を略平行にして配列された複数の切込みブレードと、前記切込みブレードの配列を固定するブレード固定具とからなるブレード座と、
前記切込みブレードが挿通する貫通穴を有するスライドプレートと、
前記ブレード座を上下方向に移動させるブレード座上下機構と、
前記切込みブレードに対応する位置に、前記切込みブレードの水平断面と略等しい切込み受穴を有する受けプレートから構成され、
前記切込みブレードの下端部分は、偏平直方体が２個の略直角三角柱形状と直方体形状に切り取られていて、先端部が下端に位置し
前記ブレード座の最下降位置において、
前記切込みブレードの先端部が前記受けプレートの上面と略同一面上にあり、
前記スライドプレートと前記受けプレートとの間に前記複数枚の紙を位置付け、前記ブレード座上下機構によりブレード座を最下降位置に移動して、前記複数枚の紙を部分切断するとともにかみ合わせ部を形成する、かみ合わせ綴じ装置。
【請求項５】
複数の紙を綴じる、かみ合わせ綴じ装置であって、
外形が略偏平直方体である複数の切込みブレードが、互いに偏平面を略平行にして配列され、かつ、前記配列された複数の切込みブレードの間および／又は前記配列された複数の切込みブレードの外側に配置された単数又は複数の貫通穴ブレードと、前記切込みブレードの配列と前記貫通穴ブレードの配置を固定するブレード固定具からなるブレード座と、
前記切込みブレード及び前記貫通穴ブレードが挿通する貫通穴を有するスライドプレートと、
前記ブレード座を上下方向に移動させるブレード座上下機構と、
前記切込みブレードに対応する位置に、前記切込みブレードの水平断面と略等しい切込み受穴と、前記貫通穴ブレードに対応する位置に前記貫通穴ブレードの水平断面と略等しい貫通受穴を有する受けプレートから構成され、
前記切込みブレードの下端部分はかまぼこ形状に切り取られていて、両端先端部が下端に位置し、
前記ブレード座の最下降位置において、
前記切込みブレードの両端先端部が、前記受けプレートの上面と略同一面上にあり、前記貫通穴ブレードの最下端が、前記受けプレートの上面よりも下方に位置し、
前記スライドプレートと前記受けプレートとの間に前記複数枚の紙を位置付け、前記ブレード座上下機構によりブレード座を最下降位置に移動して、前記複数枚の紙を部分切断するとともにかみ合わせ部を形成し、さらに、貫通穴を形成する、かみ合せ綴じ装置。
【請求項６】
複数の紙を綴じる、かみ合わせ綴じ装置であって、
外形が略偏平直方体である複数の切込みブレードが、互いに偏平面を略平行にして配列され、かつ、前記配列された複数の切込みブレードの間および／又は前記配列された複数の切込みブレードの外側に配置された単数又は複数の貫通穴ブレードと、前記切込みブレードの配列と前記貫通穴ブレードの配置を固定するブレード固定具からなるブレード座と、
前記切込みブレード及び前記貫通穴ブレードが挿通する貫通穴を有するスライドプレートと、
前記ブレード座を上下方向に移動させるブレード座上下機構と、
前記切込みブレードに対応する位置に、前記切込みブレードの水平断面と略等しい切込み受穴と、前記貫通穴ブレードに対応する位置に前記貫通穴ブレードの水平断面と略等しい貫通受穴を有する受けプレートから構成され、
前記切込みブレードの下端部分は偏平直方体が２個の略直角三角柱形状と直方体形状に切り取られていて、先端部が下端に位置し
前記ブレード座の最下降位置において、
前記切込みブレードの先端部が、前記受けプレートの上面と略同一面上にあり、前記貫通穴ブレードの最下端が、前記受けプレートの上面よりも下方に位置し、
前記スライドプレートと前記受けプレートとの間に前記複数枚の紙を位置付け、前記ブレード座上下機構によりブレード座を最下降位置に移動して、前記複数枚の紙を部分切断するとともにかみ合わせ部を形成し、さらに、貫通穴を形成する、かみ合せ綴じ装置。
【考案の詳細な説明】
【技術分野】
【０００１】
本考案は、紙片のかみ合わせにより綴じられたカレンダーと、当該カレンダーの製造に特に好適なかみ合わせ綴じ装置に関するものである。
【背景技術】
【０００２】
カレンダーは、一葉に、１月、２月あるいは１週などが印刷された紙を複数枚綴って製造されることが多い。
【０００３】
従来のカレンダーの綴り合わせには、三ツ折金具を使用するもの、プラスチック天具を使用するもの、ツインリング、スパイラルリングなどの金属線又は金属類似品を使用するもの、紙ヘッダーを使用するもの（短冊カレンダー）などが使用されている。近年、特に短冊カレンダーが汎用されている。
【０００４】
短冊カレンダーの綴じ方法の一例は、以下の工程を経るものである。
（１）複数枚の紙の上端部に複数の貫通穴を空ける。
（２）当該穴にホットメルトタイプの接着剤を塗布するとともに、当該穴を覆う紙ヘッダーを貼り付ける。
（３）紙ヘッダーの近傍に切取りミシン目を設ける。
（４）吊り下げ穴を設ける。
（例えば特許文献１参照）
【０００５】
【特許文献１】特開平８−２９５０８５号公報
【考案の開示】
【考案が解決しようとする課題】
【０００６】
従来の短冊カレンダーは、プラスチック製天具に替えて紙ヘッダーを使用していて、カレンダー廃棄に伴うゴミ分別など環境保護に一定の配慮をしているが、合成樹脂などの接着剤を使用しており、いまだ環境問題の面から改善の余地がある。
また、短冊カレンダーの製造には、複数の工程が必要で、生産性の面から単一工程で完結する綴じ方法が望まれる。
【０００７】
本考案は、環境によりやさしい態様で綴じられたカレンダーを得ることを課題とする。
また、本考案は、複数枚の紙を綴じる装置であって、単一工程で完成する綴じ方法を実現できる綴じ装置を得ることを課題とする。
【０００８】
さらに、本考案は、複数枚の紙から成るカレンダーに使用できるかみ合わせ綴じ装置であって、単一工程で綴じ及び吊り下げ穴を空けることができるカレンダーに使用できるかみ合わせ綴じ装置を得ることを課題とする。
【０００９】
本考案のその他の課題は、以下の本考案の説明により明らかになる。
【課題を解決するための手段】
【００１０】
本考案の請求項１にかかるカレンダーは、複数枚の紙が綴じられたカレンダーであって、複数枚の紙の綴じ代に貫通して形成された、略Ｕ字形状の第１切込み線と、前記第１切込み線と一定の間隔を隔てている上下逆転した略Ｕ字形状の第２切込み線を有し、第１切込み線に囲まれた紙片および第２切込み線に囲まれた紙片のそれぞれが裏面側に折込まれることによって１対のかみ合わせ部とされ、前記１対のかみ合わせ部が横方向に複数対設けられるとともに、複数枚の紙の綴じ代のかみ合わせ部以外の箇所に貫通した吊り下げ用貫通孔が形成されていることを特徴とする。
【００１１】
本考案の請求項２にかかるカレンダーは、複数枚の紙が綴じられたカレンダーであって、複数枚の紙の綴じ代に貫通して形成された略Ｈ字形状の切込み線に囲まれた紙片が裏面側に折込まれることによって１対のかみ合わせ部とされ、前記１対のかみ合わせ部が横方向に複数対設けられるとともに、複数枚の紙の綴じ代のかみ合わせ部以外の箇所に貫通した吊り下げ用貫通孔が形成されていることを特徴とする。
【００１２】
本考案の請求項３にかかるかみ合わせ綴じ装置は、複数の紙を綴じる、かみ合わせ綴じ装置であって、外形が略偏平直方体であって、互いに偏平面を略平行にして配列された複数の切込みブレードと、前記切込みブレードの配列を固定するブレード固定具とからなるブレード座と、前記切込みブレードが挿通する貫通穴を有するスライドプレートと、前記ブレード座を上下方向に移動させるブレード座上下機構と、前記切込みブレードに対応する位置に、前記切込みブレードの水平断面と略等しい切込み受穴を有する受けプレートから構成され、前記切込みブレードの下端部分はかまぼこ形状に切り取られていて、両端先端部が下端に位置し、前記ブレード座の最下降位置において、前記切込みブレードの両端先端部が前記受けプレートの上面と略同一面上にあり、前記スライドプレートと前記受けプレートとの間に前記複数枚の紙を位置付け、前記ブレード座上下機構によりブレード座を最下降位置に移動して、前記紙を部分切断するとともにかみ合わせ部を形成する。
【００１３】
本考案の請求項４にかかるかみ合わせ綴じ装置は、複数の紙を綴じる、かみ合わせ綴じ装置であって、外形が略偏平直方体であって、互いに偏平面を略平行にして配列された複数の切込みブレードと、前記切込みブレードの配列を固定するブレード固定具とからなるブレード座と、前記切込みブレードが挿通する貫通穴を有するスライドプレートと、前記ブレード座を上下方向に移動させるブレード座上下機構と、前記切込みブレードに対応する位置に、前記切込みブレードの水平断面と略等しい切込み受穴を有する受けプレートから構成され、前記切込みブレードの下端部分は、偏平直方体が２個の略直角三角柱形状と直方体形状に切り取られていて、先端部が下端に位置し、前記ブレード座の最下降位置において、前記切込みブレードの先端部が前記受けプレートの上面と略同一面上にあり、前記スライドプレートと前記受けプレートとの間に前記複数枚の紙を位置付け、前記ブレード座上下機構によりブレード座を最下降位置に移動して、前記複数枚の紙を部分切断するとともにかみ合わせ部を形成する。
【００１４】
本考案の請求項５にかかるかみ合わせ綴じ装置は、複数の紙を綴じる、かみ合わせ綴じ装置であって、外形が略偏平直方体である複数の切込みブレードが、互いに偏平面を略平行にして配列され、かつ、前記配列された複数の切込みブレードの間および／又は前記配列された複数の切込みブレードの外側に配置された単数又は複数の貫通穴ブレードと、前記切込みブレードの配列と前記貫通穴ブレードの配置を固定するブレード固定具からなるブレード座と、前記切込みブレード及び前記貫通穴ブレードが挿通する貫通穴を有するスライドプレートと、前記ブレード座を上下方向に移動させるブレード座上下機構と、前記切込みブレードに対応する位置に、前記切込みブレードの水平断面と略等しい切込み受穴と、前記貫通穴ブレードに対応する位置に前記貫通穴ブレードの水平断面と略等しい貫通受穴を有する受けプレートから構成され、前記切込みブレードの下端部分はかまぼこ形状に切り取られていて、両端先端部が下端に位置し、前記ブレード座の最下降位置において、前記切込みブレードの両端先端部が、前記受けプレートの上面と略同一面上にあり、前記貫通穴ブレードの最下端が、前記受けプレートの上面よりも下方に位置し、前記スライドプレートと前記受けプレートとの間に前記複数枚の紙を位置付け、前記ブレード座上下機構によりブレード座を最下降位置に移動して、前記複数枚の紙を部分切断するとともにかみ合わせ部を形成し、さらに、貫通穴を形成する。
【００１５】
本考案の請求項６にかかるかみ合わせ綴じ装置は、複数の紙を綴じる、かみ合わせ綴じ装置であって、外形が略偏平直方体である複数の切込みブレードが、互いに偏平面を略平行にして配列され、かつ、前記配列された複数の切込みブレードの間および／又は前記配列された複数の切込みブレードの外側に配置された単数又は複数の貫通穴ブレードと、前記切込みブレードの配列と前記貫通穴ブレードの配置を固定するブレード固定具からなるブレード座と、前記切込みブレード及び前記貫通穴ブレードが挿通する貫通穴を有するスライドプレートと、前記ブレード座を上下方向に移動させるブレード座上下機構と、前記切込みブレードに対応する位置に、前記切込みブレードの水平断面と略等しい切込み受穴と、前記貫通穴ブレードに対応する位置に前記貫通穴ブレードの水平断面と略等しい貫通受穴を有する受けプレートから構成され、前記切込みブレードの下端部分は偏平直方体が２個の略直角三角柱形状と直方体形状に切り取られていて、先端部が下端に位置し、前記ブレード座の最下降位置において、前記切込みブレードの先端部が、前記受けプレートの上面と略同一面上にあり、前記貫通穴ブレードの最下端が、前記受けプレートの上面よりも下方に位置し、前記スライドプレートと前記受けプレートとの間に前記複数枚の紙を位置付け、前記ブレード座上下機構によりブレード座を最下降位置に移動して、前記複数枚の紙を部分切断するとともにかみ合わせ部を形成し、さらに、貫通穴を形成する。
【００１６】
以上説明した本考案の一の態様、本考案の好ましい実施態様、これらに含まれる構成要素は可能な限り組み合わせて実施することができる。
【考案の効果】
【００１７】
本考案にかかるカレンダーは、ホットメルトなどの合成樹脂製品を使用しないので、環境によりやさしい態様で綴じられたカレンダーとなる。
また、表面側から観察すると切込み線と裏面側への折込みによる凸凹はあるものの、当該かみ合せ部の表面も、意匠表現面として使用可能である。従って、カレンダーの複数枚の紙各々に、該かみ合わせ部の表面に意匠を印刷などで表現することが可能となり、カレンダーの意匠の自由度が高まる効果がある。
【００１８】
本考案の一の態様にかかるかみ合わせ綴じ装置は、単一工程で完成する綴じ方法を実現できる綴じ装置である。そして、紙挿入口に入る厚さである限度において、綴じ合わせる紙の枚数に拘らず、紙を綴じることができる。また、大量生産に適している。
【００１９】
本考案の他の態様かかるかみ合せ綴じ装置では、単一工程で綴じが完成し、同時に吊り下げ穴を空けることができる。特にカレンダー綴じ装置として好適である。
【考案を実施するための最良の形態】
【００２０】
以下、図面を参照しながら、本考案にかかるカレンダー、かみ合せ綴じ装置をさらに説明する。この考案の実施例に記載されている部材や部分の寸法、材質、形状、その相対位置などは、とくに特定的な記載のない限りは、この考案の範囲をそれらのみに限定する趣旨のものではなく、単なる説明例にすぎない。
【００２１】
図１はかみ合せカレンダー１を表面側から見た斜視説明図であり、図２はかみ合せカレンダー１を裏面側から見た斜視説明図である。図３は第１切込み線、第２切込み線などを説明する図であり、図４と図５は、一対のかみ合せ部を説明するための、かみ合せカレンダーの裏面側から見た拡大斜視図である。
【００２２】
かみ合せカレンダー１は複数枚の紙２からなる。その上辺の近傍に略Ｕ字形状の第１切込み線３ａがある。第１切込み線３ａの上側に上下逆転した略Ｕ字形状の第２切込み線３ｂ線４ａがある。第１切込み線３ａと第２切込み線３ｂ線４ａは複数枚の紙２の全てに及んでいる。
【００２３】
図２を参照して、第１切込み線３ａで囲まれた第１紙片５ａは紙の裏面２２側に突出するように折曲げられている。第１第２切込み線３ｂ線４ａで囲まれた第２紙片６ａは紙の裏面２２側に突出するように折曲げられている。第１紙片５ａと第２紙片６ａが一対のかみ合せ部７を構成する。一対のかみ合せ部７は横方向に６対配置されている。一対のかみ合せ部の対の数は特に制限はなく、２以上であれば任意の数にすることができる。一対のかみ合せ部７の配列の間に、貫通穴１０が空けられている。貫通穴１０は１以上であれば、任意の数設けることができる。また、その位置も自由に定めることができる。、例えば貫通穴１０の位置は、一対のかみ合せ部７の配列がつくる帯状領域の中でもよく、当該帯状領域の上及び／又は下でもよく、当該帯状領域の右側及び／又は左側であってもよい。
【００２４】
貫通穴１０は、これ自体を壁から突出する釘などに係合させるかみ合せカレンダー１の吊下げ用途としてもよく、また、貫通穴１０に吊下げ具を係合し、当該吊下げ具を介してかみ合わせカレンダー１を壁面などに吊下げてもよい。
【００２５】
本考案において、第１切込み線と第２切込み線の形状は、図１（及び図２、図３（ａ））に示した、第１切込み線３ａが略Ｕ字形状であり、第２切込み線４ａが上下逆転した略Ｕ字形状であってもよく、図３（ｂ）に示すように、第１切込み線３ｂが上下逆転した略Ｕ字形状であり、第２切込み線４ｂが略Ｕ字形状であってもよい。図３（ｂ）に図示した、第１切込み線３ｂ、第２切込み線４ｂの形状である場合には、一対のかみ合せ部は、図４に示す形態となる。すなわち、第１紙片５ｂは紙片の上側が裏面に突出し、第２紙片６ｂは紙片の下側が裏面に突出する。
【００２６】
本考案において略Ｕ字形状とは、図３（ａ）、（ｂ）に示したように、長方形の３辺で構成される形状、横方向の辺が下に凸のＵ字形状、横方向の辺が上に凸のＵ字形状、半円形、楕円の一部の形状を含み、さらに三角形の２辺で構成される形状を含むものである。
【００２７】
また、図３（ｃ）に示すように、切込み線３０がＨ字形状であってもよい。Ｈ字形状の切込み線３０とした場合には、一対のかみ合せ部は、図５に示す形態となる。すなわち、第１紙片５ｃは紙片の上側が裏面に突出し、第２紙片６ｃは紙片の下側が裏面に突出する。
【００２８】
かみ合わせカレンダー１において、紙２の枚数に特に制限はない。従って、月毎の用紙１２〜１５枚程度を綴じてもよく、２月毎の用紙６〜８枚程度を綴じてもよく、週毎の用紙５３〜５６枚程度をとじて綴じてもよく、日毎の用紙３７０枚程度を綴じてもよい。
【００２９】
以上のように本考案にかかるかみ合わせカレンダーは、合成樹脂などの接着剤を使用することなく、紙のかみ合わせのみにより綴じられており、廃棄などにあたり環境にやさしい特徴を有する。
【００３０】
本考案にかかるかみ合わせカレンダーは、表面側から観察すると切込み線と裏面側への折込みによる凸凹はあるものの、当該かみ合せ部の表面も、意匠表現面として使用可能である。従って、カレンダーの複数枚の紙各々に、該かみ合わせ部の表面に意匠を印刷などで表現することが可能となり、カレンダーの意匠の自由度が高まる効果がある。
【００３１】
さらにまた、カレンダーの紙は一般に硬い紙で作られる。本考案にかかるかみ合わせカレンダーは、複数枚の紙を硬い紙で製作した場合には、一度綴じを分離した紙であっても、かみ合せの（折込み）形状が記録されており、再度綴じた状態に戻すことができる。このため、誤って分離した場合などに、元の綴り状態にも戻すことができる特徴を有する。
【００３２】
次にかみ合わせ綴じ装置を説明する。
【００３３】
図６はかみ合せ綴じ装置５０の斜視図であり、図７は受けプレート５４の斜視図であり、図８は切込みブレードの平面図であり、図９はかみ合せ綴じ装置の動作を説明する説明図である。
【００３４】
かみ合せ綴じ装置５０は、ブレード座５１、スライドプレート５２、ブレード座上下機構５３、受けプレート５４から構成される。
【００３５】
外形が偏平な直方体である切込みブレード６１が、偏平な面を平行にして６本配列されている。また、頭部が偏平な直方体である貫通穴ブレード６２が、切込みブレード６１の配列の中間に配置されている。貫通穴ブレード６２の下部は、その断面を円形、楕円形、方形など、任意の形状にすることが出来る。切込みブレード６１と貫通穴ブレード６２は、これらの上部に空けられた貫通穴（例えば７０、８０）をに挿通したブレード固定具６３により、水平方向の配置が固定され、ブレード座５１を構成している。従って、切込みブレード６１と貫通穴ブレード６２とは協同して動く。ブレード固定具６３は、切込みブレード６１と貫通穴ブレード６２の各々の上端部を固定するものであってもよい。
【００３６】
スライドプレート５２は、切込みブレード６１と貫通穴ブレード６２が挿通する貫通穴を有する。切込みブレード６１と貫通穴ブレード６２の下部は、プライドプレート５２の貫通穴に挿通されている。ブレード座上下機構５３は、ブレード座５１を一体として上下に移動する。受けプレート５４は、切込みブレード６１に対応する位置に、切込みブレード６１の水平断面と略等しい切込み受穴６６と、貫通穴ブレード６２に対応する位置に、貫通穴ブレードの水平断面と略等しい貫通受穴６７を有する。
【００３７】
間隔金具５６は、スライドプレート５２と受けプレート５４の間に位置し、スライドプレート５２と受けプレート５４の間隔を維持する。スライドプレート５２と受けプレート５４の間隔は、任意に定めることができる。本実施例においては当該間隔を１０ｍｍとした。また、間隔金具５６は、挿入口５６から挿入される複数枚の紙の当接壁となり、かみ合わせ綴りの位置決めの役割をする。
【００３８】
図８（ａ）は、一の実施例に用いる切込みブレードの形状を示している。切込みブレード６１ａの下端部分は、かまぼこ形状（７３）に切り取られた形状である。両端の先端部７１と７２が、切込みブレード６１ａの最下端に位置する。切込みブレード６１ａを使用すると第１切取り線と第２切取り線は図３（ａ）に示した形状となる。
【００３９】
図８（ｂ）は、他の実施例に用いる切込みブレードの形状を示している。切込みブレード６１ｂの下端部分は、偏平直方体が２個の略直角三角柱形状（８３、８４）と直方体形状（８５）に切り取られた形状である。先端部８１と８２が、切込みブレード６１ｂの最下端に位置する。切込みブレード６１ｂを使用すると第１切取り線と第２切取り線は図３（ｂ）に示した形状となる。
【００４０】
単一のかみ合せ綴り装置において、通常は、同一形状の、複数の切込みブレードが使用される。しかし、単一のかみ合せ綴り装置において、異なる形状の、複数の切込みブレードを混在させて使用してもよい。
【００４１】
次に、かみ合せ綴じ装置の動作を、図９を参照しつつ説明する。ブレード座上下機構５３により、ブレード座が最下降位置に移動したとき、切込みブレード６１ａの下方先端部７１と７２は、受けプレート５４の上面６８と略同一平面にあり、貫通穴ブレード６２の下方先端部９０は、受けプレート５４の上面６８よりも下方に位置する。
【００４２】
ブレード座上下機構５３によりブレード座を上方位置に位置付けて、挿入口５６に複数枚の紙２を挿入する。そして、ブレード座を下方に移動すると、切込みブレード６１ａにより紙２の一部が切取られ（切込み線の形成）、引き続き同時に、第１紙片５ａ、第２紙片６ａが、裏側に折込まれ、かみ合せ部が形成される。同時に、貫通穴ブレード６２により紙２が切取られ、貫通穴が形成される。図中に貫通穴のかす９１を示している。なお、図６に示すかみ合わせ綴じ装置において、切込みブレード６１ａの偏平面と貫通穴ブレード６２が互いに並んで見える位置はないが、図９は、説明の容易化のために、切込みブレード６１ａの偏平面と貫通穴ブレード６２を並べて図示したものである。
【００４３】
図１０は他の実施例にかかるかみ合わせ綴じ装置５０１の斜視図であり、図１１は切込みブレード６１１の斜視図であり、図１２はスライドプレート５２からブレード座を引き抜いた状態を示す斜視説明図であり、図１３はブレード座が最下降位置に移動した状態を示す斜視説明図である。
【００４４】
かみ合わせ綴じ装置５０１は、ブレード座５１１ａ、ブレード座５１１ｂ、貫通穴ブレード６２１、スライドプレート５２、ブレード座上下機構（図示しない）、受けプレート５４から構成される。
【００４５】
外形が偏平な略直方体である切込みブレード６１１が、偏平な面を平行にして１２本配列されている。切込みブレード６１１はその上部に貫通穴７０１を有している。切込みブレード６１１の貫通穴７０１にブレード固定具６３が挿通され、切込みブレード６１１の水平方向の配置が固定され、ブレード座５１１ａを構成している。同様に１２本の切込みブレード６１１はブレード固定具６３とともにブレード座５１１ｂを構成している。かみ合わせ綴じ装置５０１においては、ブレード座５１１ａ、ブレード座５１１ｂと貫通穴ブレード６２１が別個独立して上下動される。
【００４６】
切込みブレード６１１の下端部分は、かまぼこ形状７３１に切り取られていて両端短辺７１１、７２１が切込みブレード６１１の下端に位置する。切込み７４は、図示しないブレード座上下機構が各々の切込みブレード６１を直接挟み込むために設置されたものである。これによって、ブレード座上下機構がブレード固定具６３の両端を挟んで間接的に切込みブレード６１を作動させる場合に比べ、切込みブレード６１の数が増えた場合や、紙の厚さおよび枚数が増えた場合にも、十分な切込みの圧力をかけることができる。
【００４７】
スライドプレート５２は、切込みブレード６１１と貫通穴ブレード６２１が挿通する貫通穴を有する。図１２はスライドプレート５２からブレード座５１１ａとブレード座５１１ｂを上方に引き抜いた状態を示している。
【００４８】
受けプレート５４は、切込みブレード６１１に対応する位置に、切込みブレード６１１の水平断面と略等しい切込み受穴６６を有し、また、貫通穴ブレード６２１に対応する位置に、貫通穴ブレードの水平断面と略等しい貫通受穴６７を有する。
【００４９】
かみ合わせ綴じ装置５０１の動作は、かみ合わせ綴じ装置５１の動作と同様である。図１３を参照してブレード座５１１ａ、５１１ｂの最下降位置において、切込みブレード６１１の先端部７１１、７１２が、受けプレート５４の上面と略同一平面にある。
【００５０】
以上説明した、かみ合せ綴じ装置は貫通穴ブレードを備えるものであるが、本考案にかかるかみ合わせ綴じ装置は、複数の切込みブレードのみを有するものでもよい。
【００５１】
複数の切込みブレードのみを有するかみ合せ綴じ装置は、かみ合せによる綴じが、容易に行え、また、挿入口に入る限り枚数に制限なく、複数の紙を綴じることができる。例えば、ノート、メモパッド、伝票の綴り、試験用紙の綴りなどに使用できる。
【００５２】
複数の切込みブレードと貫通穴ブレードを有するかみ合わせ綴じ装置は、綴じと貫通穴空けが同時に行えるという特徴を有する。したがって、カレンダーの綴じ装置として有用である。また、本かみ合わせ綴じ装置を使用して吊下げ式メモパッドを作ってもよい。
【産業上の利用可能性】
【００５３】
本考案にかかるカレンダーは、例えば月別カレンダーに利用することができる。本考案にかかるかみ合わせ綴じ装置は、例えばカレンダーの製造に利用することができる。
【図面の簡単な説明】
【００５４】
【図１】かみ合せカレンダー１を表面側から見た斜視説明図である。
【図２】かみ合せカレンダー１を裏面側から見た斜視説明図である。
【図３】第１切込み線、第２切込み線などの説明図である。
【図４】一対のかみ合せ部を説明するための、かみ合せカレンダーを裏面側から見た拡大斜視図である。
【図５】一対のかみ合せ部を説明するための、かみ合せカレンダーを裏面側から見た拡大斜視図である。
【図６】かみ合せ綴じ装置５０の斜視図である。
【００５５】
【図７】受けプレート５４の斜視図である。
【図８】切込みブレードの平面図である。
【図９】はかみ合せ綴じ装置の動作を説明する説明図である。
【図１０】かみ合わせ綴じ装置５０１の斜視図である。
【図１１】切込みブレード６１１の斜視図である。
【図１２】スライドプレート５２からブレード座を引き抜いた状態を示す斜視説明図である。
【図１３】ブレード座が最下降位置に移動した状態を示す斜視説明図である。
【符号の説明】
【００５６】
１    かみ合せカレンダー
２    紙
３ａ、３ｂ、３ｃ    第１切込み線
４ａ、４ｂ、４ｃ    第２切込み線
５ａ、５ｂ、５ｃ    第１紙片
６ａ、６ｂ、６ｃ    第２紙片
７    一対のかみ合わせ部
１０  貫通穴
２１  紙の表面
２２  紙の裏面
３０  Ｈ字形状切込み線
５０  かみ合せ綴じ装置
５１  ブレード座
５２  スライドプレート
５３  ブレード座上下機構
５４  受けプレート
５５  間隔金具
５６  挿入口
【００５７】
６１、６１ａ、６１ｂ  切込みブレード
６２  貫通穴ブレード
６３  ブレード固定具
６６  切込み受穴
６７  貫通受穴
６８  受けプレート上面
７０  固定具受穴
７１  先端部
７２  先端部
７３  かまぼこ形状切取り部
７４  切込み
８０  固定具受穴
８１  先端部
８２  先端部
８３  略直角三角柱形状
８４  略直角三角柱形状
８５  直方体形状切取り部
９０  貫通穴ブレード先端部
９１  かす
【００５８】
５０１  かみ合わせ綴じ装置
５１１ａ、５１１ｂ  ブレード座
６１１  切込みブレード
６２１  貫通穴ブレード
７０１  固定具受穴
７１１  先端部
７２１  先端部
７３１  かまぼこ形状切取り部
【図１】
0003114405.tif 000003
【図２】
0003114405.tif 000004
【図３】
0003114405.tif 000005
【図４】
0003114405.tif 000006
【図５】
0003114405.tif 000007
【図６】
0003114405.tif 000008
【図７】
0003114405.tif 000009
【図８】
0003114405.tif 000010
【図９】
0003114405.tif 000011
【図１０】
0003114405.tif 000012
【図１１】
0003114405.tif 000013
【図１２】
0003114405.tif 000014
【図１３】
0003114405.tif 000015